(57)【要約】【課題】直接付着フィルターの接地を行えるカバープレートを備えたプラズマディスプレイ装置を提供する。【解決手段】画像を具現し、直接付着フィルターを備えるプラズマディスプレイパネルと、プラズマディスプレイパネルを駆動する回路基板と、プラズマディスプレイパネル及び回路基板を支持するシャーシと、回路基板とプラズマディスプレイパネルとを電気的に連結し、集積回路チップを備えた信号伝達手段と、直接付着フィルターの接地部に接触する接触部を備え、集積回路チップと対向するようにシャーシに装着されるカバープレートと、を備えるプラズマディスプレイ装置。【選択図】図２
2006189873.tif 000002
【特許請求の範囲】
【請求項１】
画像を具現し、直接付着フィルターを備えるプラズマディスプレイパネルと、
前記プラズマディスプレイパネルを駆動する回路基板と、
前記プラズマディスプレイパネル及び前記回路基板を支持するシャーシと、
前記回路基板と前記プラズマディスプレイパネルとを電気的に連結し、集積回路チップを備えた信号伝達手段と、
前記直接付着フィルターの接地部に接触する接触部を備え、前記集積回路チップと対向するように前記シャーシに装着されるカバープレートと、を備えるプラズマディスプレイ装置。
【請求項２】
前記接触部は、前記カバープレートと同じ素材で形成される請求項１に記載のプラズマディスプレイ装置。
【請求項３】
前記接触部の少なくとも一部は溝を備える請求項１に記載のプラズマディスプレイ装置。
【請求項４】
前記プラズマディスプレイパネル、前記回路基板、前記シャーシ、前記信号伝達手段及び前記カバープレートを収容するケースをさらに備える請求項１に記載のプラズマディスプレイ装置。
【発明の詳細な説明】
【技術分野】
【０００１】
本発明は、プラズマディスプレイ装置に係り、さらに詳細には、直接付着フィルターの接地を行えるカバープレートを備えたプラズマディスプレイ装置に関する。
【背景技術】
【０００２】
最近に、従来の陰極線管（Ｃａｔｈｏｄｅ Ｒａｙ Ｔｕｂｅ：ＣＲＴ）ディスプレイ装置を代替するものとして注目されているプラズマディスプレイ装置は、複数個の電極が形成された二つの基板間に放電ガスが封入された後に放電電圧が加えられ、これによって発生する紫外線により所定のパターンで形成された蛍光体が励起されて可視光を放出することによって、所望の画像を得る装置である。
【０００３】
かかるプラズマディスプレイ装置は、通常的にフィルタを備えるが、フィルタは、プラズマディスプレイ装置の品質を向上させる作用をする。例えば、フィルタは、プラズマディスプレイ装置で発生する人体に有害な電磁気波を遮断し、無線電話機やリモコンなどの誤作動を誘発する近赤外線を遮断し、ネオン発光を遮断し、外光がプラズマディスプレイパネル（Ｐｌａｓｍａ Ｄｉｓｐｌａｙ Ｐａｎｅｌ：ＰＤＰ）の前方表面で反射される現象を防止する機能を行う。
【０００４】
通常的に、前記のようなフィルタは複数層のフィルムが付着されたガラスで形成され、プラズマディスプレイ装置を構成するＰＤＰの前方に装着される。しかし、最近にはフィルタをＰＤＰに直接付着することもあるが、このような直接付着フィルターは、大部分ガラス素材ではない薄い合成樹脂材のフィルムからなっていて、これを利用する場合に軽くて薄いプラズマディスプレイ装置を具現できて、その適用が拡大しつつある。
【０００５】
ところが、かかる直接付着フィルターも電磁気波などを遮蔽するために接地が必要であるが、ケースやシャーシに接地をするためには追加的な接地用部材が必要であるので、その追加的な接地用部材の製造及び設置においてコスト及び工数が多くかかるという問題点があった。
【発明の開示】
【発明が解決しようとする課題】
【０００６】
本発明は、前述したような従来の問題点を鑑みてなされたものであり、本発明の主な目的は、直接付着フィルターの接地を行えるカバープレートを備えたプラズマディスプレイ装置を提供することである。
【課題を解決するための手段】
【０００７】
前記のような目的を含んでその他の目的を達成するために、本発明は、画像を具現し、直接付着フィルターを備えるＰＤＰと、前記ＰＤＰを駆動する回路基板と、前記ＰＤＰ及び前記回路基板を支持するシャーシと、前記回路基板と前記ＰＤＰとを電気的に連結し、集積回路チップを備えた信号伝達手段と、前記直接付着フィルターの接地部に接触する接触部を備え、前記集積回路チップと対向するように前記シャーシに装着されるカバープレートと、を備えるプラズマディスプレイ装置を提供する。
【０００８】
ここで、前記接触部は、前記カバープレートと同じ素材で形成される。
【０００９】
ここで、前記接触部の少なくとも一部は溝を備えることができる。
【００１０】
ここで、前記プラズマディスプレイ装置は、前記ＰＤＰ、前記回路基板、前記シャーシ、前記信号伝達手段及び前記カバープレートを収容するケースをさらに備える。
【発明の効果】
【００１１】
本発明によるプラズマディスプレイ装置は、直接付着フィルターの接地がカバープレートによりなされるので、追加的な接地用部材を備える必要がなく、製造コスト及び工数を低減できる。
【００１２】
また、本発明によるプラズマディスプレイ装置は、接地のために接地部に接触するカバープレートの接触部が大面積になるので、接地性能を向上させることができて、プラズマディスプレイ装置で発生する電磁波及び近赤外線の遮蔽性能を向上させることができる。
【発明を実施するための最良の形態】
【００１３】
以下、添付した図面を参照して本発明の望ましい実施形態について詳細に説明する。
【００１４】
図１は、本発明の実施形態によるプラズマディスプレイ装置の概略的な分解斜視図であり、図２は、図１の直接付着フィルターの接地部分を示す概略的な拡大断面図であり、図３は、本発明の実施形態によるカバープレートを概略的に示す斜視図である。
【００１５】
図１及び図２に示すように、本発明の実施形態によるプラズマディスプレイ装置１００は、画像を具現するＰＤＰ １１０、直接付着フィルター１２０、回路基板１３０、シャーシ１４０、信号伝達手段１５０、カバープレート１６０及びケース１７０を備えて構成される。
【００１６】
ＰＤＰ １１０は、シャーシ１４０の前面に装着されており、ＰＤＰ １１０とシャーシ１４０との結合は、ＰＤＰ １１０の背面に付着される両面接着手段１４３を介してなされるが、両面接着手段１４３として両面テープが使われる。
【００１７】
ＰＤＰ １１０とシャーシ１４０との間には熱伝導性に優れたパネル放熱シート１４４が介在されて設置され、ＰＤＰ １１０の作動中に発生する熱を効率的に分散させ、かつ放出できるようになっている。
【００１８】
直接付着フィルター１２０は、ＰＤＰ １１０の前面に付着されるが、ベースフィルムに導電層及び外光反射防止層などを備える。
【００１９】
前記ベースフィルムはフィルタのベースとして使われるが、その素材の種類は、ポリエーテルスルホン（ＰＥＳ）、ポリアクリレート（ＰＡＲ）、ポリエーテルイミド（ＰＥＩ）、ポリエチレンナフタレート（ＰＥＮ）、ポリエチレンテレフタレート（ＰＥＴ）、ポリフェニレンスルフィド（ＰＰＳ）、ポリアリレート、ポリイミドなどがある。
【００２０】
前記導電層は透明な薄層でなってもよく、メッシュ形状でなってもよいが、ＩＴＯ（Ｉｎｄｉｕｍ ＴＩｎ Ｏｘｉｄｅ）、銀（Ａｇ）、金（Ａｕ）、銅（Ｃｕ）、アルミニウム（Ａｌ）などの導電性素材を含んでなる。
【００２１】
前記外光反射防止層は黒度の高い素材を利用して形成できる。
【００２２】
本実施形態の直接付着フィルター１２０は、ベースフィルムに導電層及び外光反射防止層を備えて構成されているが、本発明はこれに限定されるものではない。すなわち、本発明の外光反射防止層にはスクラッチ防止のためのハードコーティング材がコーティングされることもあり、導電層と外光反射防止層との間に特定波長帯の光を吸収できる選択的吸光層が形成されることもある。
【００２３】
また、本実施形態の直接付着フィルター１２０は、一枚のベースフィルムを利用するが、本発明はこれに限定されるものではない。すなわち、本発明の直接付着フィルターは、複数枚のフィルムを積層して形成されることもある。
【００２４】
直接付着フィルター１２０のエッジには前記導電層に連結される接地部１２１が形成されるが、接地部１２１は、カバープレート１６０と電気的に連結されて接地作用を行うことができる。
【００２５】
一方、回路基板１３０には、回路素子１３１及びコネクタ１３２が配置されてＰＤＰ １１０を駆動する機能を行うが、回路基板１３０は、ボス１４５及び設置ボルト１４６によりシャーシ１４０に装着される。
【００２６】
シャーシ１４０は、アルミニウム（Ａｌ）、鉄（Ｆｅ）素材などでなるが、シャーシベース１４１及び補強材１４２を備えてなる。
【００２７】
補強材１４２は、シャーシ１４０のエッジ部分に装着されるが、回路基板１３０の高さとほぼ同じ高さに形成される。
【００２８】
補強材１４２上にはアドレス信号などを伝達する信号伝達手段１５０が過ぎるが、信号伝達手段１５０の一端は回路基板１３０に装着されたコネクタ１３２に連結され、その他端は補強材１４２を過ぎてＰＤＰ １１０の電極端子部に連結される。
【００２９】
信号伝達手段１５０は、集積回路チップ１５１を備えたテープキャリアパッケージ（Ｔａｐｅ Ｃａｒｒｉｅｒ Ｐａｃｋａｇｅ：ＴＣＰ）が使われる。集積回路チップ１５１は補強材１４２上に設置されるが、信号伝達手段１５０を経由する電気的信号を制御する機能を行う。
【００３０】
本発明の実施形態のシャーシ１４０は補強材１４２を備えることによって、シャーシ１４０の剛性を補完して補強材１４２に集積回路チップ１５１が装着されるが、本発明はこれに限定されるものではない。すなわち、本発明によれば、補強材の代りにシャーシのエッジ部を折り曲げてシャーシ折曲部を形成することによって、シャーシの剛性を補完して集積回路チップをシャーシ折曲部に設置することもできる。
【００３１】
集積回路チップ１５１と補強材１４２との間にはサーマルグリース１８１が介在されて設置される。
【００３２】
集積回路チップ１５１とカバープレート１６０との間にはチップ放熱シート１８２が介在されて設置される。チップ放熱シート１８２は、集積回路チップ１５１で発生する熱をカバープレート１６０に放出する機能を行う。
【００３３】
本実施形態は集積回路チップ１５１と補強材１４２との間にサーマルグリース１８１が設置されることと限定したが、本発明はこれに限定されるものではない。すなわち、本発明によれば、サーマルグリースの代りに放熱シートなどを設置することもでき、サーマルグリースを備えないことによって集積回路チップを補強材に直接接触させる構造も可能である。
【００３４】
また、本実施形態は、チップ放熱シート１８２が集積回路チップ１５１に設置されることと限定したが、本発明はこれに限定されるものではない。すなわち、本発明によれば、チップ放熱シートの代りにサーマルグリースを設置してもよく、チップ放熱シートを備えないことによって集積回路チップをカバープレートに直接接触させてもよい。
【００３５】
カバープレート１６０は、補強材１４２に装着ボルト１９０により装着されるが、カバープレート１６０は、信号伝達手段１５０及び集積回路チップ１５１を保護し、集積回路チップ１５１で発生する熱を放出する機能を行う。
【００３６】
図２及び図３に示すように、カバープレート１６０は接触部１６１を備えるが、接触部１６１は、直接付着フィルター１２０の接地部１２１に接触して接地の作用を行う。
【００３７】
接触部１６１は溝１６１ａを備えており、接触部の形状は全体的にフィンガーストリップの形状を持つ。そのようなフィンガーストリップの形状は、弾性力を調節しやすくて接地部１２１との接触を良くし、設置が容易であるという長所がある。
【００３８】
本発明の実施形態によるカバープレート１６０の接触部１６１は溝１６１ａを備えているが、本発明はこれに限定されるものではない。すなわち、本発明のカバープレートの接触部は、溝を備えていない単純な板状に形成されることもある。
【００３９】
本発明の実施形態によるカバープレート１６０は、最初から接触部１６１と同じ素材で形成されるが、本発明はこれに限定されるものではない。すなわち、本発明のカバープレートの本体及び接触部の素材がいずれも導電性の素材からなれば、本発明のカバープレートの本体及び接触部の素材を異なって形成してもよい。
【００４０】
本発明の実施形態によるカバープレート１６０は、最初から接触部１６１と一体に形成されるが、本発明はこれに限定されるものではない。すなわち、本発明のカバープレートの本体と接触部とを別途に形成した後、接触部を導電性接着剤によりカバープレート本体に装着させることもある。
【００４１】
ケース１７０は、ウィンドウが形成される前方ケース１７１と、シャーシ１４０の後方に配置される後方ケース１７２とで形成されるが、ケース１７０は、ＰＤＰ １１０、回路基板１３０、シャーシ１４０、信号伝達手段１５０及びカバープレート１６０を収容する。
【００４２】
したがって、作業者は、次のような方法で本実施形態によるプラズマディスプレイ装置１００の直接付着フィルター１２０の接地構造を設置できる。
【００４３】
まず、作業者は、集積回路チップ１５１を補強材１４２の既定の部分に配置する。
【００４４】
この後、作業者はカバープレート１６０に外力を加えて広げた後、カバープレート１６０の弾性力を利用して、カバープレート１６０をＰＤＰ １１０及びシャーシ１４０からなる組立体のエッジに嵌め込むが、この時、カバープレート１６０の接触部１６１は直接付着フィルター１２０の接地部１２１に位置させ、カバープレート１６０の部分のうち補強材１４２に装着される部分は、装着ボルト１９０の設置位置を考慮して位置させる。
【００４５】
この後、作業者は、装着ボルト１９０を利用してカバープレート１６０を補強材１４２に装着する。
【００４６】
また、作業者は、カバープレート１６０の接触部１６１が直接付着フィルター１２０の接地部１２１と電気的によく連結されるように、接触部１６１の付近に導電性接着剤などを追加的に塗布することもある。
【００４７】
以下、本発明の実施形態によるプラズマディスプレイ装置１００が作動される過程及び、ＰＤＰ １１０に付着された直接付着フィルター１２０の作用を説明する。
【００４８】
ユーザがプラズマディスプレイ装置１００を作動させれば、回路基板１３０からＰＤＰ １１０に電圧が印加される。
【００４９】
ＰＤＰ １１０に電圧が印加されれば、アドレス放電及び維持放電が起き、維持放電時に励起された放電ガスのエネルギー準位が低くなりつつ紫外線が放出される。前記紫外線は、放電セル内に塗布された蛍光体層の蛍光体を励起させるが、この励起された蛍光体のエネルギー準位が低くなりつつ可視光が放出され、この放出された可視光が出射されつつユーザが認識できる画像を形成する。
【００５０】
この時、直接付着フィルター１２０の接地部１２１はカバープレート１６０に電気的に連結され、カバープレート１６０は、装着ボルト１９０によりシャーシ１４０に電気的に連結される構造を持っているので、直接付着フィルター１２０の接地がなされる。したがって、直接付着フィルター１２０は、プラズマディスプレイ装置１００から排出される電磁気波、近赤外線などを吸収して遮蔽できる。
【００５１】
以上のように、本発明の実施形態によるプラズマディスプレイ装置１００は、カバープレート１６０を利用して直接付着フィルター１２０の接地を行えるので、接地工程を簡単にしてコストダウンできるという長所がある。
【００５２】
また、本発明の実施形態によるカバープレート１６０の接触部１６１は、カバープレートの長さほど形成できるために、接地部１２１に大きい面積で接触できる。このようになれば、捕獲された多量の電磁気波、近赤外線などのエネルギーが広い接触面積を持つ接触部１６１を経由して速く吸収されるので、電磁気波などの遮蔽性能を高められるという長所がある。
【００５３】
本発明は、図面に図示された実施形態を参考として説明されたが、これは例示的なものに過ぎず、当業者ならばこれより多様な変形及び均等な他の実施形態が可能であるという点を理解できる。したがって、本発明の真の技術的保護範囲は特許請求の範囲の技術的思想によって定められねばならない。
【産業上の利用可能性】
【００５４】
本発明は、プラズマディスプレイ装置の関連技術分野に好適に用いられる。
【図面の簡単な説明】
【００５５】
【図１】本発明の実施形態によるプラズマディスプレイ装置の概略的な分解斜視図である。
【図２】図１の直接付着フィルターの接地部分を示す概略的な拡大断面図である。
【図３】本発明の実施形態によるカバープレートを概略的に示す斜視図である。
【符号の説明】
【００５６】
１００  プラズマディスプレイ装置
１１０  ＰＤＰ
１２０  直接付着フィルター
１２１  接地部
１３０  回路基板
１４０  シャーシ
１４１  シャーシベース
１４２  補強材
１５０  信号伝達手段
１５１  集積回路チップ
１６０  カバープレート
１６１  接触部
１７０  ケース
１９０  装着ボルト
【図１】
2006189873.tif 000003
【図２】
2006189873.tif 000004
【図３】
2006189873.tif 000005